【手続補正書】
【提出日】平成18年2月24日(2006.2.24)
【手続補正１】
【補正対象書類名】明細書
【補正対象項目名】発明の名称
【補正方法】変更
【補正の内容】
【発明の名称】物品管理装置及び制御方法
【手続補正２】
【補正対象書類名】明細書
【補正対象項目名】特許請求の範囲
【補正方法】変更
【補正の内容】
【特許請求の範囲】
【請求項１】  複数の物品に付せられた複数の無線タグのＩＤを受信する受信手段と、
前記受信手段により受信された複数の無線タグのＩＤが、同一のグループに属することを表すグループＩＤを、前記受信手段により受信された各々の無線タグのＩＤに、属性として付加するグループＩＤ付加手段と、
前記複数の無線タグのＩＤと、前記複数の無線タグのＩＤに関連する前記複数の物品の情報とを対応付ける対応付け手段とを含むことを特徴とする物品管理装置。
【請求項２】  異なるＩＤを有する無線タグが付せられた複数の物品を一枚の画像として撮影する撮影手段を有し、
前記対応付け手段は、前記撮影手段により撮影された一枚の画像と、前記複数の無線タグＩＤとを対応付けることを特徴とする請求項１に記載の物品管理装置。
【請求項３】  前記受信手段により受信される複数の無線タグのＩＤは、前記撮影手段による撮影とほぼ同時に取得されることを特徴とする請求項２に記載の物品管理装置。
【請求項４】  前記撮影手段により撮影された複数の画像の中から一枚の画像をユーザに選択させるようにする画像選択手段と、
前記画像選択手段により選択された画像に関連付けられた複数の無線タグのＩＤを、データベースから抽出する無線タグＩＤ抽出手段と、
前記受信手段により新たに受信された無線タグのＩＤと、前記無線タグＩＤ抽出手段により抽出された複数の無線タグのＩＤとを比較する無線タグＩＤ比較手段と、
前記無線タグＩＤ比較手段により比較された結果をユーザに通知する通知手段とを含むことを特徴とする請求項２又は３に記載の物品管理装置。
【請求項５】  前記通知手段は、前記無線タグＩＤ比較手段により比較された結果を、文字、または画像表示、または光の点灯、または光の点滅、または音声、または電子音により通知することを特徴とする請求項４に記載の物品管理装置。
【請求項６】  前記登録手段によって登録された複数の無線ＩＤタグ情報のグループを解除するための解除手段を有することを特徴とする請求項１乃至５のいずれか１項に記載の物品管理装置。
【請求項７】  受信手段により受信された複数の物品に付せられた複数の無線タグのＩＤが、同一のグループに属することを表すグループＩＤを、前記受信された各々の無線タグのＩＤに、属性として付加するグループＩＤ付加処理と、
前記複数の無線タグのＩＤと、前記複数の無線タグのＩＤに関連する前記複数の物品の情報とを対応付ける対応付け処理とを含む処理を実行することを特徴とする制御方法。
【手続補正３】
【補正対象書類名】明細書
【補正対象項目名】０００１
【補正方法】変更
【補正の内容】
【０００１】
【発明の属する技術分野】
本発明は、物品管理装置及び制御方法に関し、特に、物品に付せられた無線タグを用いて物品を管理するために用いて好適なものである。
【手続補正４】
【補正対象書類名】明細書
【補正対象項目名】０００８
【補正方法】変更
【補正の内容】
【０００８】
【課題を解決するための手段】
本発明の物品管理装置は、複数の物品に付せられた複数の無線タグのＩＤを受信する受信手段と、前記受信手段により受信された複数の無線タグのＩＤが、同一のグループに属することを表すグループＩＤを、前記受信手段により受信された各々の無線タグのＩＤに、属性として付加するグループＩＤ付加手段と、前記複数の無線タグのＩＤと、前記複数の無線タグのＩＤに関連する前記複数の物品の情報とを対応付ける対応付け手段とを含むことを特徴としている。また、本発明の制御方法は、受信手段により受信された複数の物品に付せられた複数の無線タグのＩＤが、同一のグループに属することを表すグループＩＤを、前記受信された各々の無線タグのＩＤに、属性として付加するグループＩＤ付加処理と、前記複数の無線タグのＩＤと、前記複数の無線タグのＩＤに関連する前記複数の物品の情報とを対応付ける対応付け処理とを含む処理を実行させることを特徴としている。
本発明の制御方法は、受信手段により受信された複数の物品に付せられた複数の無線タグのＩＤが、同一のグループに属することを表すグループＩＤを、前記受信された各々の無線タグのＩＤに、属性として付加するグループＩＤ付加処理と、前記複数の無線タグのＩＤと、前記複数の無線タグのＩＤに関連する前記複数の物品の情報とを対応付ける対応付け処理とを含む処理を実行することを特徴としている。
【手続補正５】
【補正対象書類名】明細書
【補正対象項目名】０１１６
【補正方法】削除
【補正の内容】
【手続補正６】
【補正対象書類名】明細書
【補正対象項目名】０１１７
【補正方法】削除
【補正の内容】
【手続補正７】
【補正対象書類名】明細書
【補正対象項目名】０１１８
【補正方法】削除
【補正の内容】
【手続補正８】
【補正対象書類名】明細書
【補正対象項目名】０１１９
【補正方法】削除
【補正の内容】
【手続補正９】
【補正対象書類名】明細書
【補正対象項目名】０１２０
【補正方法】削除
【補正の内容】
【手続補正１０】
【補正対象書類名】明細書
【補正対象項目名】０１２１
【補正方法】削除
【補正の内容】
【手続補正１１】
【補正対象書類名】明細書
【補正対象項目名】０１２２
【補正方法】削除
【補正の内容】
【手続補正１２】
【補正対象書類名】明細書
【補正対象項目名】０１２３
【補正方法】削除
【補正の内容】
【手続補正１３】
【補正対象書類名】明細書
【補正対象項目名】０１２４
【補正方法】削除
【補正の内容】
【手続補正１４】
【補正対象書類名】明細書
【補正対象項目名】０１２５
【補正方法】削除
【補正の内容】
【手続補正１５】
【補正対象書類名】明細書
【補正対象項目名】０１２６
【補正方法】削除
【補正の内容】
【手続補正１６】
【補正対象書類名】明細書
【補正対象項目名】０１２７
【補正方法】削除
【補正の内容】
【手続補正１７】
【補正対象書類名】明細書
【補正対象項目名】０１２８
【補正方法】削除
【補正の内容】
【手続補正１８】
【補正対象書類名】明細書
【補正対象項目名】０１２９
【補正方法】削除
【補正の内容】
【手続補正１９】
【補正対象書類名】明細書
【補正対象項目名】０１３０
【補正方法】削除
【補正の内容】
【手続補正２０】
【補正対象書類名】明細書
【補正対象項目名】０１３１
【補正方法】削除
【補正の内容】
【手続補正２１】
【補正対象書類名】明細書
【補正対象項目名】０１３２
【補正方法】削除
【補正の内容】
【手続補正２２】
【補正対象書類名】明細書
【補正対象項目名】０１３３
【補正方法】削除
【補正の内容】
【手続補正２３】
【補正対象書類名】明細書
【補正対象項目名】０１３４
【補正方法】削除
【補正の内容】
【手続補正２４】
【補正対象書類名】明細書
【補正対象項目名】０１３５
【補正方法】削除
【補正の内容】
【手続補正２５】
【補正対象書類名】明細書
【補正対象項目名】０１３６
【補正方法】削除
【補正の内容】
【手続補正２６】
【補正対象書類名】明細書
【補正対象項目名】０１３７
【補正方法】削除
【補正の内容】
【手続補正２７】
【補正対象書類名】明細書
【補正対象項目名】０１３８
【補正方法】削除
【補正の内容】
【手続補正２８】
【補正対象書類名】明細書
【補正対象項目名】０１３９
【補正方法】削除
【補正の内容】
【手続補正２９】
【補正対象書類名】明細書
【補正対象項目名】０１４０
【補正方法】削除
【補正の内容】
【手続補正３０】
【補正対象書類名】明細書
【補正対象項目名】０１４１
【補正方法】削除
【補正の内容】
【手続補正３１】
【補正対象書類名】明細書
【補正対象項目名】０１４２
【補正方法】削除
【補正の内容】
【手続補正３２】
【補正対象書類名】明細書
【補正対象項目名】０１４３
【補正方法】削除
【補正の内容】
【手続補正３３】
【補正対象書類名】明細書
【補正対象項目名】０１４４
【補正方法】削除
【補正の内容】
【手続補正３４】
【補正対象書類名】明細書
【補正対象項目名】０１４５
【補正方法】削除
【補正の内容】
【手続補正３５】
【補正対象書類名】明細書
【補正対象項目名】０１４６
【補正方法】削除
【補正の内容】
【手続補正３６】
【補正対象書類名】明細書
【補正対象項目名】０１４７
【補正方法】削除
【補正の内容】
【手続補正３７】
【補正対象書類名】明細書
【補正対象項目名】０１４８
【補正方法】削除
【補正の内容】
【手続補正３８】
【補正対象書類名】明細書
【補正対象項目名】０１４９
【補正方法】削除
【補正の内容】
【手続補正３９】
【補正対象書類名】明細書
【補正対象項目名】０１５０
【補正方法】削除
【補正の内容】
【手続補正４０】
【補正対象書類名】明細書
【補正対象項目名】０１５１
【補正方法】削除
【補正の内容】
【手続補正４１】
【補正対象書類名】明細書
【補正対象項目名】０１５２
【補正方法】削除
【補正の内容】
【手続補正４２】
【補正対象書類名】明細書
【補正対象項目名】０１５３
【補正方法】削除
【補正の内容】
【手続補正４３】
【補正対象書類名】明細書
【補正対象項目名】０１５４
【補正方法】削除
【補正の内容】